(57)【要約】【課題】  生花等の収容物を保持して安定した状態で包装することができ、容易に分解及び組立てをすることができる組立式箱の提供。【解決手段】  背板１２、天板１４、底板１６、両側壁板１９，２０、蓋板２２、両連結板２３，２４、保持部２５を備え、天板１４及び底板１６は、縁部に折り目を介してそれぞれ一体に形成される補強板４６，５５を備え、保持部２５は、補強板４６，５５の前縁に折り目を介して形成された前面板６０と、前面板６０の前縁に折り目を介して形成され、中央部に収容物が挿入される収容物挿入孔７０が形成された保持板６２とを備え、天板１４及び底板１６をそれぞれ背板１２に重ねて折り畳んだ状態で全体形状を平板状となし、両側壁板１９，２０、天板１４及び底板１６を背板１２に対して折り曲げて箱状に組み立て、保持板６２を折り目より箱底側に折り曲げ保持部２５を形成するようにした。【選択図】  図３
2005280824.tif 000002
【特許請求の範囲】
【請求項１】
平板状の背板と、該背板の上縁に折り目を介して一体に形成された天板と、前記背板の下縁に折り目を介して一体に形成された底板と、前記背板の両側縁にそれぞれ折り目を介して一体に形成された両側壁板と、一方の側壁板の背板とは反対側の縁部に折り目を介して一体に形成された蓋板と、他方の側壁板と前記天板の両側辺間を連結する天側壁板間連結板と、該他方の側壁板と記底板の両側辺間を連結する底側壁板間連結板と、箱底部に配置され、収容物を保持する保持部とを備え、
前記他方の側壁板は、前記背板に折り目を介して連続した外側壁板と、該外側壁板の前記折り目とは反対側の縁部に折り目又は一定幅を有する前縁板を介して一体に形成された内側壁板とをもって構成し、前記折り目又は前縁板より折り曲げることにより前記内側壁板を外側壁板に重ね合わせ、
前記天側壁板間連結板及び底側壁板間連結板は、前記背板の隅より斜めに向けた折り目により隔てられた固定部と可動部とからなり、前記固定部を前記側壁板の外側壁板の内面に重ね合わせて貼着し、
前記天板及び底板は、前記天側壁板間連結板又は底側壁板間連結板とは反対側の縁部に折り目を介してそれぞれ一体に形成され、前記折り目とは反対側の端部が互いに係合される補強板を備え、
前記保持部は、前記補強板の前縁に折り目を介して形成され、該折り目とは反対側の縁部が前記側壁板の前縁に係止される前面板と、該前面板の前縁に折り目を介して形成され、中央部に前記収容物が挿入される収容物挿入孔を有する保持板とを備え、
前記天板及び底板をそれぞれ前記背板に重ねて折り畳んだ状態で全体形状を平板状となし、前記側壁板、天板及び底板を前記背板に対して折り曲げ、前記内側壁板の縁部を天板及び底板の内面に係合させて箱状に組み立て、前記保持板を折り目より箱底側に折り曲げて前記保持部を形成するようにしたことを特徴としてなる組立式箱。
【請求項２】
保持部は、保持板の前面板とは反対側の縁部に折り目を介して一体に支持板を備えた請求項１に記載の組立式箱。
【請求項３】
天板及び底板は、それぞれ背板と折り目を介して連続された外板と、その背板とは反対側の縁部に折り目又は一定幅を有する前縁板を介して一体に形成された内板とをもって構成された請求項１又は２に記載の組立式箱。
【請求項４】
収容物挿入孔は、その内縁に折り目を介して一体に形成された弾性支持片を一体に備える請求項１、２又は３に記載の組立式箱。
【請求項５】
収容物挿入孔の内縁部に保持される輸送用袋を一体的に備えた請求項１〜３又は４に記載の組立式箱。
【発明の詳細な説明】
【技術分野】
【０００１】
本発明は、主に生花等の包装に用いられる組立式箱に関する。
【背景技術】
【０００２】
従来、生花は、一定本数を紐等で束ね、それを段ボール箱に収容して、生産地より出荷している。
【０００３】
しかし、このような包装状態では、輸送途中に段ボール箱内に収容された生花が箱内で移動し、花や葉が段ボール箱の内壁に当たって傷ついてしまうという問題があった。
【０００４】
そこで、箱底部に生花の茎部が挿入保持される保持部を備え、生花束が箱内で移動しないように保持部に保持させた状態で包装することができる箱が提供されている（例えば、特許文献１を参照）。
【０００５】
また、底部に保持部を設けた箱を使用することによって、鉢植えや端部を輸送用容器等に収容した生花の束も安定した状態で包装することができるようになっている（例えば、特許文献２を参照）。
【特許文献１】実開平６−２２２８７号公報
【特許文献２】特開２００１−３４００２６号公報
【発明の開示】
【発明が解決しようとする課題】
【０００６】
しかし、上述の如き従来の技術では、保持部を設けたことによって箱全体の構成が複雑化し、箱の組立てに手間がかかり、作業効率が悪いという問題があった。
【０００７】
また、保持部を別個に形成するものもあり、そのようなものは部品点数が増加し、箱を構成する材料の使用量が多くなりコストが嵩むという問題があった。
【０００８】
そこで本発明は、上述の従来技術の問題を鑑み、生花等の収容物を保持して安定した状態で包装することができ、容易に分解及び組立てをすることができる組立式箱の提供を目的とする。
【課題を解決するための手段】
【０００９】
上述の如き従来の問題を解決し、所期の目的を達成するための請求項１に記載の発明は、平板状の背板と、該背板の上縁に折り目を介して一体に形成された天板と、前記背板の下縁に折り目を介して一体に形成された底板と、前記背板の両側縁にそれぞれ折り目を介して一体に形成された両側壁板と、一方の側壁板の背板とは反対側の縁部に折り目を介して一体に形成された蓋板と、他方の側壁板と前記天板の両側辺間を連結する天側壁板間連結板と、該他方の側壁板と記底板の両側辺間を連結する底側壁板間連結板と、箱底部に配置され、収容物を保持する保持部とを備え、
前記他方の側壁板は、前記背板に折り目を介して連続した外側壁板と、該外側壁板の前記折り目とは反対側の縁部に折り目又は一定幅を有する前縁板を介して一体に形成された内側壁板とをもって構成し、前記折り目又は前縁板より折り曲げることにより前記内側壁板を外側壁板に重ね合わせ、
前記天側壁板間連結板及び底側壁板間連結板は、前記背板の隅より斜めに向けた折り目により隔てられた固定部と可動部とからなり、前記固定部を前記側壁板の外側壁板の内面に重ね合わせて貼着し、
前記天板及び底板は、前記天側壁板間連結板又は底側壁板間連結板とは反対側の縁部に折り目を介してそれぞれ一体に形成され、前記折り目とは反対側の端部が互いに係合される補強板を備え、
前記保持部は、前記補強板の前縁に折り目を介して形成され、該折り目とは反対側の縁部が前記側壁板の前縁に係止される前面板と、該前面板の前縁に折り目を介して形成され、中央部に前記収容物が挿入される収容物挿入孔を有する保持板とを備え、
前記天板及び底板をそれぞれ前記背板に重ねて折り畳んだ状態で全体形状を平板状となし、前記側壁板、天板及び底板を前記背板に対して折り曲げ、前記内側壁板の縁部を天板及び底板の内面に係合させて箱状に組み立て、前記保持板を折り目より箱底側に折り曲げて前記保持部を形成するようにした組立式箱であることを特徴とする。
【００１０】
請求項２に記載の発明は、請求項１の構成に加え、保持部は、保持板の前面板とは反対側の縁部に折り目を介して一体に支持板を備えたことを特徴とする。
【００１１】
請求項３に記載の発明は、請求項１又は２の構成に加え、天板及び底板は、それぞれ背板と折り目を介して連続された外板と、その背板とは反対側の縁部に折り目又は一定幅を有する前縁板を介して一体に形成された内板とをもって構成されたことを特徴とする。
【００１２】
請求項４に記載の発明は、請求項１、２又は３の構成に加え、収容物挿入孔は、その内縁に折り目を介して一体に形成された弾性支持片を一体に備えることを特徴とする。
【００１３】
請求項５に記載の発明は、請求項１〜３又は４の構成に加え、収容物挿入孔の内縁部に保持される輸送用袋を一体的に備えたことを特徴とする。
【発明の効果】
【００１４】
本発明に係る組立式箱は、箱底部に配置され、収容物を保持する保持部を備えたことにより、生花等の収容物を安定した状態で包装することができ、しかも、容易に組立て及び分解をすることができ、作業効率がよい。
【００１５】
また、保持部が保持板の前面板とは反対側の縁部に折り目を介して一体に支持板を備えたことによって、保持部を補強することができる。
【００１６】
天板及び底板を、それぞれ背板と折り目を介して連続された外板と、その背板とは反対側の縁部に折り目又は一定幅を有する前縁板を介して一体に形成された内板とをもって構成されたことによって、箱全体の強度を増すことができる。
【００１７】
収容物挿入孔は、その内縁に折り目を介して一体に形成された弾性支持片を一体に備えることによって、収容物を保持部に好適に保持し、安定した状態に包装することができる。
【００１８】
収容物挿入孔の内縁部に保持される輸送用袋を一体的に備えたことによって、生花等の梱包の際に茎部を保水した状態で輸送等がなされ鮮度を保つことができるとともに、箱に水を染み出るのを防止することができる。
【発明を実施するための最良の形態】
【００１９】
次に、本発明に係る組立式箱の実施形態に関し図１〜図９について説明する。
【００２０】
図１、図２は組立式箱の一例を示し、図中符号１０は組立式箱、符号１１は生花等の収容物である。
【００２１】
組立式箱１０は、段ボール紙又はボール紙等からなる板状材を図３に示す展開図のように打ち抜き、それを折曲加工することにより形成されている。
【００２２】
この組立式箱１０は、平板状の背板１２と、背板１２の上縁に折り目１３を介して一体に形成された天板１４と、背板１２の下縁に折り目１５を介して一体に形成された底板１６と、背板１２の両側縁にそれぞれ折り目１７，１８を介して一体に形成された両側壁板１９，２０と、一方の側壁板１９の背板１２とは反対側の縁部に折り目２１を介して一体に形成された蓋板２２と、他方の側壁板２０と天板１４の両側辺間を連結する天側壁板間連結板２３と、側壁板２０と底板１６の両側辺間を連結する底側壁板間連結板２４と、箱底部に配置され、収容物１１を保持する保持部２５とを備えている。
【００２３】
側壁板２０は、背板１２と折り目１８を介して連続した外側壁板２６と、その折り目１８とは反対側の縁部に前縁板２７を介して一体に形成された内側壁板２８とをもって構成され、前縁板２７の両縁部を折り目として折り曲げることにより、内側壁板２８を外側壁板２６に重ね合わせ、内側壁板２８の前縁板２７とは反対側の縁部に形成された接着片２９を外側壁板２６の内側面に接着剤により固着させている。
【００２４】
また、内側壁板２８には、その両上下縁基端側より先端縁側に斜めに向けた折り目３０，３０を形成して折り目３０より折り畳まれる逃がし片部３１，３１を備えている。
【００２５】
逃がし片部３１の縁部、即ち内側壁板２８の上下縁には、天板１４及び底板１６の側縁に形成された係止凹部３２に係合する縁部係止突起３３が形成され、逃がし片部３１の背側縁、即ち内側壁板２８の前縁板２７とは反対側の縁部には、背板１２の側縁に形成された係止孔３４に係合する係止突起３５が一体に形成されている。
【００２６】
尚、図中符号３６は、逃がし片部３１を立ち上げる際に使用する指孔である。
【００２７】
前縁板２７は、一定幅を有する細長板状に形成され、側壁板２０の前縁部を構成している。
【００２８】
また、側壁板２０には、前縁部即ち前縁板２７に円弧状の切れ目を入れることにより係止片挿入孔３７が形成されている。
【００２９】
側壁板１９は、背板１２と折り目１７を介して連続して形成され、その折り目１７とは反対側の縁部に折り目２１を介して蓋板２２が連続して形成されている。
【００３０】
蓋板２２は、背板１２と略同形の平板状に形成され、箱の前面を覆うようになっており、その折り目２１とは反対側の縁部には、係止片挿入孔３７に挿入される係止片３８が折り目を介して一体に形成されている。
【００３１】
係止片３８には、折り目の反対側、即ち蓋板２２側にコ字型の切れ目を入れることによって、係止片挿入孔３７より係止片３８を引き抜く際に使用する取手片３８ａが係止片３８と連続して形成されている。
【００３２】
天板１４は、天外板３９と、天前縁板４０と、天内板４１とをもって構成され、天前縁板４０の両縁部を折り目として折り曲げることにより、天内板４１を天外板３９に重ね合わせるようになっている。
【００３３】
天外板３９は、背板１２と折り目１３を介して連続して形成されている。
【００３４】
天内板４１の側縁には、内側壁板２８の上下縁に設けられた縁部係止突起３３が係合されるように係合用の係止凹部３２が設けられ、また、折り目を介して挟み込み片４２が一体に形成されている。
【００３５】
天内板４１の背側縁、即ち天前縁板４０とは反対側の縁部には、背板１２の上縁に形成された係止孔４３に係止される係止突起４４が形成されている。
【００３６】
天前縁板４０は、一定幅を有する細長板状に形成され、天外板３９と天内板４１の前縁間を連結し、天板１４の前縁部を構成している。
【００３７】
天外板３９の側縁には、折り目４５を介して一体に補強板４６が形成され、その折り目４５とは反対側の縁部には切れ目４７を有する係合部が形成されている。
【００３８】
底板１６は、底外板４８と、底前縁板４９と、底内板５０とをもって構成され、底前縁板４９の両縁部を折り目として折り曲げることにより、底内板５０を底外板４８に重ね合わせるようになっている。
【００３９】
底外板４８は、背板１２と折り目１５を介して連続して形成されている。
【００４０】
底内板５０の側縁には、内側壁板２８の上下縁に設けられた縁部係止突起３３が係合されるように係合用の係止凹部３２が設けられ、また、折り目を介して挟み込み片５１が一体に形成されている。
【００４１】
底内板５０の背側縁、即ち底前縁板４９とは反対側の縁部には、背板１２の底側縁に形成された係止孔５２に係止される係止突起５３が形成されている。
【００４２】
底前縁板４９は、一定幅を有する細長板状に形成され、底外板４８と底内板５０の前縁間を連結し、底板１６の前縁部を構成している。
【００４３】
底外板４８の側縁には、折り目５４を介して一体に補強板５５が形成され、その折り目５４とは反対側の縁部には切れ目５６を有する係合部が形成されている。
【００４４】
両補強板４６，５５は、箱を組立てた際に折り目４５，５４とは反対側の縁部が互いに突き合わされ、互いに係合部の切れ目４７，５６を噛み合わせることにより係合されるようになっている。
【００４５】
また、両補強板４６，５５の背側縁には、背板１２の側縁に形成された係止孔５７，５７に係止される係止突起５８，５８が一体に形成されている。
【００４６】
保持部２５は、底板側補強板５５の下端部前縁に折り目５９を介して連続した前面板６０と、前面板６０の上縁に折り目６１を介して一体に形成された保持板６２と、保持板６２の前面板６０とは反対側の縁部に折り目６３を介して一体に形成された支持板６４とを備え、折り目６１，６３より折り曲げられて前面板６０、保持板６２及び支持板６４が下向きのコ字型に配置されるようになっている。
【００４７】
前面板６０には、折り目５９とは反対側の縁部に側壁板２０の前縁、即ち前縁板２７に形成された係止孔６５に挿入され、係止される係止片６６が折り目を介して一体に形成されている。
【００４８】
保持板６２は、略底板１６と同じ平板状に形成され、その背側縁部、即ち前面板６０とは反対側の縁部に折り目６３を介して支持板６４が一体に形成され、一方の側縁には挟入片６７が折り目６８を介して一体に形成されている。
【００４９】
尚、側壁板２０の内側面、即ち内側壁板２８に挟入片６７が挿入されて係止されるスリット状の係止孔を設けるようにしてもよい。
【００５０】
この保持板６２の中央部には、内縁に弾性支持片６９，６９を一体に有する収容物挿入孔７０が形成されている。
【００５１】
この収容物挿入孔７０及び弾性支持片６９は、中央にＸ字状に切れ目を入れるとともに、収容物挿入孔７０の四隅部に切り込みを設けることにより形成され、収容物は各弾性支持片６９，６９…を底側に押し込みながら挿入され、且つ、挿入後は各弾性支持片６９，６９…が収容物の外周面に当接し、収容物を好適に保持するようになっている。
【００５２】
支持板６４は、前面板６０と略同形状に形成され、その保持板６２とは反対側の縁部が底板１６内面に当接し、保持板６２を支持するようになっている。
【００５３】
天側壁板間連結板２３及び底側壁板間連結板２４は、それぞれ背板１２の隅より斜めに向けた折り目７１に隔てられた固定部７２と可動部７３とから構成されている。
【００５４】
天側壁板間連結板２３及び底側壁板間連結板２４は、固定部７２が接着剤をもって外側壁板２６の内面に接着され、組み立てられた際に、各連結板２３，２４の固定部７２と可動部７３とが重なり合った部分の一部が内側壁板２８、即ち逃がし片部３１，３１により押さえられるようになっている。
【００５５】
この組立式箱１０を用いて生花等を包装する際には、例えば図４に示すように、輸送用容器８０を使用して、保水した状態で包装することが好ましく、このように保水することによって長く鮮度を保つことができる。
【００５６】
この輸送用容器８０は、鉢状の容器本体８１と、容器本体８１の上縁に下端開口が固定された筒状のカバー部８２とを備え、容器本体８１内にスポンジ等の保水部材８３が嵌め込まれるようになっている。
【００５７】
カバー部８２は、上端開口部に紐通し部８４を設け、この紐通し部８４に紐８５を挿通させて、巾着状に形成されている。
【００５８】
保水部材８３は、中央部に生花束１１の茎部が挿入されて、保持される挿入孔８６を備えている。
【００５９】
この輸送用容器８０は、水を含ませた保水部材８３に生花束１１の茎部を挿入し、カバー部８２の紐８５を引いて開口部を絞って閉鎖することにより、この輸送用容器８０を収容した組立式箱１０を横、即ち背板１２側を底にした場合でも、保水部材８３に含まれる水が輸送用容器８０から流れ出さないようになっている。
【００６０】
そして、この輸送用容器８０を収容物挿入孔７０に挿入して収容物挿入孔７０内縁部に嵌め込み、保持させることにより、組立式箱１０の保持部２５に生花束１１を保持させた状態で包装されるようになっている。
【００６１】
また、組立式箱１０により生花束を包装するには、生花の茎部分を直接、収容物挿入孔７０に挿入してもよく、その場合、弾性支持片６９，６９…が茎部分を保持するようになっている。
【００６２】
更に、組立式箱１０は、図５に示すように、収容物挿入孔７０の内縁に巾着状の輸送用袋９０を一体的に備えるようにしてもよい。尚、上述の実施例と同一の部分には同一符号を付して説明を省略する。
【００６３】
輸送用袋９０は、図６に示すように、底部９１が平らに形成された有底筒状に形成され、上端開口部に紐通し部９２を設け、その紐通し部９２に紐９３を通すことにより巾着状に柔らかい材質により形成されている。
【００６４】
この輸送用袋９０は、水を含ませた保水部材にその茎部を収容した生花束等を挿入し、紐９３を引いて開口部を絞って閉鎖することにより、組立式箱１０を横、即ち背板１２側を底にした場合でも、保水部材に含まれる水が輸送用袋９０から流れ出さないようになっている。
【００６５】
また、この輸送用袋９０は、その外周面が弾性支持片６９に接着材９４等によって貼着されており、収容物挿入孔７０の内縁に一体的に形成され、箱全体を折り畳んだ際に、この輸送用袋９０も折り畳まれて嵩張らないようになっている。
【００６６】
次に、上述した組立式箱１０の組立方法について図７〜図９を参照して説明する。
【００６７】
まず、図７（ａ）〜（ｂ）に示すように、天内板４１を天前縁板４０の両側縁を折り目として折り曲げて天外板３９に重ね合わせ、天内板４１の係止突起４４を係止孔４３に係止させることにより天板１４を形成し、同様に底内板５０を底前縁板４９の両側縁を折り目として折り曲げて底外板４８に重ね合わせ、底内板５０の係止突起５３を係止孔５２に係止させることにより底板１６を形成する。
【００６８】
次に、図７（ｂ）〜（ｃ）に示すように、折り目１３に沿って天板１４を内側、即ち背板側に折り曲げ、背板１２に重ねて折り畳む。そして、そのとき一緒に折られる天側壁板間連結板２３の固定部７２を外側壁板２６の重なり合った部分に接着剤等によって貼着させる。
【００６９】
同様に、折り目１５に沿って底板１６を内側、即ち背板側に折り曲げ、背板１２に重ねて折り畳む。そして、そのとき一緒に折られる底側壁板間連結板２４の固定部７２を外側壁板２６の重なり合った部分に接着剤等によって貼着させる。
【００７０】
このように各連結板２３，２４の固定部７２を外側壁板２６の重なり合った部分に貼着させたことにより、側壁板２０を立ち上げると貼着された連結板２３，２４に連動して天板１４及び底板１６も立ち上がるようになっている。
【００７１】
そして、図７（ｃ）〜（ｄ）に示すように、内側壁板２８を前縁板２７の両縁を折り目として折り曲げ、外側壁板２６に重ね合わせ、重なり合った内側壁板２８の接着片２９を外側壁板２６の内側面に貼着させる。
【００７２】
これで一次組立が終了し、組立中間部材１００が形成され、この状態で、運搬や保管等を行えば、平板状であるので重ねても嵩張らず効率がよい。
【００７３】
次に、この組立中間部材１００を縦向きにし、図８（ｅ）〜（ｆ）に示すように、側壁板２０を立ち上げると、各連結板２３，２４が連動して天板１４及び底板１６も立ち上がる。このとき逃がし片部３１，３１を立ち上げることにより、連結板２３，２４が内側壁板２８に邪魔されずに好適に作動する。
【００７４】
そして、図８（ｆ）〜（ｇ）に示すように、側壁板２０、天板１４及び底板１６を背板１２に対して立ち上げ、逃がし片部３１，３１を元に戻して、内側壁板２８の上下縁に形成された縁部係止突起３３，３３を天板１４及び底板１６の係止凹部３２，３２に係合させるとともに、係止突起３５，３５を背板１２の係止孔３４，３４に係止させ、連結板２３，２４の固定部７２と可動部７３とが重なり合った部分を、外側壁板２６と内側壁板２８、即ち外側壁板２６と逃がし片部３１，３１との間で挟持する。
【００７５】
この際、挟み込み片４２，５１も両連結板２３，２４とともに外側壁板２６と内側壁板２８、即ち外側壁板２６と逃がし片部３１，３１との間に挟持される。
【００７６】
更に、図８（ｇ）〜（ｈ）に示すように、両補強板４６，５５を折り目４５，５４より内側に折り曲げ、係合部を互いに係合、即ち切れ目４７，５６同士をかみ合わせて両補強板４６，５５を連結し、係止突起５８，５８をそれぞれ背板１２の係止孔５７，５７に係止させる。
【００７７】
次に、図８（ｈ）〜図９（ｊ）に示すように、折り目５９より前面板６０を内側に折り曲げ、支持板６４を折り目６３より内側に折り曲げ、挟入片６７を折り目６８より内側に折り曲げ、更に、その状態で保持板６２を折り目６１より箱底側、即ち内側に折り曲げ、箱底部に保持部２５を形成する。
【００７８】
これにより、組立式箱１０は、箱底部に保持部２５を備える箱状に形成される。
【００７９】
そして、図９（ｊ）〜図９（ｋ）に示すように、茎部を輸送用容器８０に収容した生花等の収容物１１を保持部２５に保持させ、即ち、輸送用容器８０を保持板６２の収容物挿入孔７０に嵌めこみ、収容物１１を安定した状態で箱内に収容する。
【００８０】
最後に、図９（ｋ）〜（ｌ）に示すように、折り目１７より側壁板１９を立ち上げ、更に、折り目２１より蓋板２２を折り曲げ、縁部の係止片３８を係止片挿入孔３７に挿入することにより前面を閉じ、収容物の包装がなされる。
【００８１】
尚、上述の実施例では、切れ目同士を噛み合わせて両補強板の端部を係合させた例について説明したが、両補強板のうち一方の突合せ側端部にスリット状の係止孔を設け、他方の補強板の端部に係止孔に挿入され、係止される係止突片を一体に備えるようにしてもよい。
【００８２】
また、上述の実施例では、主に生花の包装に用いる場合について説明したが、青果等の生鮮食料品をはじめ、電化製品等やその他の包装にも適用することもできる。
【図面の簡単な説明】
【００８３】
【図１】本発明に係る組立式箱の一例を示す斜視図である。
【図２】同上の組立式箱の蓋板を開いた状態を示す斜視図である。
【図３】同上の組立式箱の展開図である。
【図４】同上の保持部に生花を保持させた状態の一例を示す部分拡大断面図である。
【図５】本発明に係る組立式箱の他の一例を示す断面図である。
【図６】図５中の輸送用袋を示す斜視図である。
【図７】同上の組立式箱の組立中間工程の状態を示す斜視図である。
【図８】同上の組立式箱の製箱工程の状態を示す斜視図である。
【図９】同上の組立式箱を用いた生花の包装工程を示す斜視図である。
【符号の説明】
【００８４】
１０  組立式箱
１１  収容物（生花）
１２  背板
１３  折り目
１４  天板
１５  折り目
１６  底板
１７，１８  折り目
１９，２０  側壁板
２１  折り目
２２  蓋板
２３  天側壁板間連結板
２４  底側壁板間連結板
２５  保持部
２６  外側壁板
２７  前縁板
２８  内側壁板
２９  接着片
３０  折り目
３１  逃がし片部
３２  係止凹部
３３  縁部係止突起
３４  係止孔
３５  係止突起
３６  指孔
３７  係止片挿入孔
３８  係止片
３８ａ  取手片
３９  天外板
４０  天前縁板
４１  天内板
４２  挟み込み片
４３  係止孔
４４  係止突起
４５  折り目
４６  補強板
４７  切れ目
４８  底外板
４９  底前縁板
５０  底内板
５１  挟み込み片
５２  係止孔
５３  係止突起
５４  折り目
５５  補強板
５６  切れ目
５７  係止孔
５８  係止突起
５９  折り目
６０  前面板
６１  折り目
６２  保持板
６３  折り目
６４  支持板
６５  係止孔
６６  係止片
６７  挟入片
６８  折り目
６９  弾性支持片
７０  収容物挿入孔
７１  折り目
７２  固定部
７３  可動部
８０  輸送用容器
８１  容器本体
８２  カバー部
８３  保水部材
８４  紐通し部
８５  紐
８６  挿入孔
９０  輸送用袋
９１  底部
９２  紐通し部
９３  紐
９４  接着材
１００  組立中間部材
【図１】
2005280824.tif 000003
【図２】
2005280824.tif 000004
【図３】
2005280824.tif 000005
【図４】
2005280824.tif 000006
【図５】
2005280824.tif 000007
【図６】
2005280824.tif 000008
【図７】
2005280824.tif 000009
【図８】
2005280824.tif 000010
【図９】
2005280824.tif 000011